(57)【特許請求の範囲】
【請求項１】
外部接続機器のプラグを挿入するための外部端子と、
ストラップを取り付けるための取付ユニットと、
前記外部端子用の開口部を有する外装カバーと、を備え、
前記外部端子は、前記取付ユニットに固定されており、
前記取付ユニットは、前記外装カバーに対して位置決めされて固定されている
ことを特徴とする撮像装置。
【請求項２】
外部接続機器のプラグを挿入するための外部端子と、
ストラップを取り付けるための取付ユニットと、
前記外部端子を実装する基板と、を備え、
前記外部端子は、前記取付ユニットに固定されており、
前記取付ユニットには、前記基板の外部端子実装面と平行に設けられた保持部が形成されており、
前記基板が前記保持部に固定されることにより、前記外部端子が前記取付ユニットに固定されている
ことを特徴とする撮像装置。
【請求項３】
前記取付ユニットは、金属製のストラップ部と、樹脂製のストラップホルダとを有し、
前記ストラップ部は、前記ストラップが挿入される挿通口と、前記基板の外部端子実装面に平行に形成された延設部と、を有し、
前記ストラップホルダは、前記延設部を覆い挟持する係合部を有し、
前記延設部が前記係合部に挿入された状態で前記保持部が前記取付ユニットに形成されている
ことを特徴とする請求項２に記載の撮像装置。
【請求項４】
撮影レンズ鏡筒と、
前記撮影レンズ鏡筒を覆う筒状部材と、を備え、
前記筒状部材には、前記保持部と共に前記外部端子を覆う囲い部が形成されており、
前記筒状部材と前記取付ユニットとはビス締結されている
ことを特徴とする請求項２または請求項３に記載の撮像装置。
【請求項５】
前記外部端子は、前記撮像装置の非グリップ側側面における、前記撮像装置が備える可動部の動作を阻害しない位置に配置されている
ことを特徴とする請求項１乃至４のいずれか１項に記載の撮像装置。
【請求項６】
前記可動部は、前記撮像装置の背面に設けられ、前記非グリップ側に開いた状態で回転可能に保持された表示部である
ことを特徴とする請求項５に記載の撮像装置。
【請求項７】
前記外部端子は、マイク端子またはヘッドホン端子である
ことを特徴とする請求項１乃至６のいずれか１項に記載の撮像装置。
【発明の詳細な説明】
【技術分野】
【０００１】
本発明は、撮像装置に関する。
【背景技術】
【０００２】
外部端子であるジャックを電気回路に取り付ける方法として、プリント基板の表面に半田付けする方法が提案されている。しかし、この取り付け方法では、ジャックの取付強度が、プリント基板のパターン強度と半田付け部の強度に依存し、プラグの抜き差しの繰り返しやコジリによってジャックの半田付け部が破損してしまう。特に、デジタルカメラなどの携帯型の撮像装置に使用されているジャックは、半田付けの面積が小さく、十分な強度を確保することが困難である。したがって、強度確保のため、プリント基板に表面実装されたジャックを補強する方法が提案されている。特許文献１は、電気基板に表面実装されたコネクタジャックの静荷重強度を向上するために、補強部材が追加されたコネクタジャックを開示している。
【０００３】
また、外部マイクやヘッドホンが接続可能なジャックの場合、通常、プラグをジャックに差した状態で、さまざまな撮影操作を行うことが望まれる。一方、多様な姿勢での撮影を容易にするため、撮像装置本体の背面に設けられた表示部が、非グリップ側側面に開いた状態で回転可能に保持されている撮像装置が提案されている。このような表示部は、いわゆるバリアングル型表示部と呼ばれる。バリアングル型表示部を搭載した撮像装置でも、プラグをジャックに差した状態で、表示部が可動できるようにすることが望まれる。
【先行技術文献】
【特許文献】
【０００４】
【特許文献１】特開２０１２―１４６５９４号公報
【発明の概要】
【発明が解決しようとする課題】
【０００５】
特許文献１が開示するコネクタジャックでは、別途剛性を有する補強部材を追加することが必要であるので、部品点数が増えコストが上がってしまう。
【０００６】
また、撮影時に撮像装置と接続する外部マイクやヘッドホン等に接続されるジャックの配置には種々の制約がある。撮像装置をグリップする際に、手で覆われてしまう場所に配置すると、プラグが邪魔になりグリップ性が著しく低下するだけでなく、グリップした手でプラグを押してしまい、大きな外力が加わる場合がある。したがって、ジャックは非グリップ側側面に配置するのが望ましい。
【０００７】
しかし、バリアングル型表示部を搭載した撮像装置では、ジャックを非グリップ側側面に配置しただけでは、非グリップ側側面に開いた状態で回転させた時に、表示部がプラグに当たってしまう。さらに、バリアングル型表示部のヒンジ部は、強度を必要とするため、撮像装置の構造体となるメインシャーシと固定されることが望ましい。バリアングル型表示部は、ヒンジ部の軸を中心として可動可能に保持されているので、表示部の可動範囲外にジャックを配置すると、ジャックとメインシャーシの位置が遠くなる。したがって、メインシャーシでジャックの静荷重を受ける形状を形成したとしても強度不足となり、静荷重に強くならないという課題がある。
【０００８】
本発明は、補強部材を追加することなく、静荷重に強い外部端子の保持構造を有する撮像装置の提供を目的とする。
【課題を解決するための手段】
【０００９】
本発明の一実施形態の撮像装置は、外部接続機器のプラグを挿入するための外部端子と、ストラップを取り付けるための取付ユニットと、前記外部端子用の開口部を有する外装カバーと、を備え、前記外部端子は、前記取付ユニットに固定されており、前記取付ユニットは、前記外装カバーに対して位置決めされて固定されている。
【発明の効果】
【００１０】
本発明によれば、補強部材を追加することなく、静荷重に強い外部端子の保持構造を有する撮像装置を実現できる。
【図面の簡単な説明】
【００１１】
【図１】本実施形態の撮像装置の外観を示す斜視図である。
【図２】カメラを構えている様子と、カメラの非グリップ側側面を示す図である。
【図３】ストラップ取付部材ユニットとサイドカバーユニットの構成例である。
【図４】カメラに組み立てられるフロントフレーム部材を示す図である。
【図５】マイク端子部の保持構成を示す断面図である。
【発明を実施するための形態】
【００１２】
図１は、本実施形態の撮像装置の外観を示す斜視図である。
図１（Ａ）は、撮像装置を正面側から見たときの斜視図を示す。図１（Ｂ）は、撮像装置を背面側から見たときの斜視図である。なお、以下の説明では、撮像装置をカメラとも記述する。
【００１３】
図１において、カメラ１には、被写体像を撮像素子に結像する撮影レンズ鏡筒２が固定されている。撮影レンズ鏡筒２は、沈胴式のズームレンズで撮影レンズおよびズーム機構、シャッタ機構、及びフォーカス機構等が搭載した、公知の鏡筒である。撮影レンズ鏡筒２は、カメラ背面側に配置されているカメラ全体の構造躯体となるメインシャーシ（不図示）にビスを用いて締結されている。撮影レンズ鏡筒２の後方には、光学像を光電変換して画像データを生成するＣＣＤやＣＭＯＳイメージセンサ等の撮像素子（不図示）が実装されている。
【００１４】
カメラ１の内部には、中央処理装置であるＣＰＵや各々のフレキシブル配線基板を電気的に接続するためのコネクタを備えるメイン基板（不図示）が配置されている。カメラ１の正面側には、フロントカバーユニット３が設けられている。フロントカバーユニット３には、カメラ正面を覆う外装部材である樹脂製のフロントカバー３１、フレームアシストボタン３２、撮影者がカメラを把持した際に指掛りとなるグリップ部材として機能するフロントグリップ３３が設けられている。
【００１５】
撮影者がフレームアシストボタン３２を押すことで、超望遠撮影時に被写体が表示画面から外れてしまっても、一旦撮影レンズ鏡筒２を広角側に移動させて周辺領域が表示される。これにより、画角から外れてしまった被写体の再捕捉が容易になる。
【００１６】
カメラ１の背面には、撮影画像を表示するバリアングル型ＬＣＤ表示部（以下、単にＬＣＤ表示部と記述）４と、リアカバーユニット５とが設けられている。ＬＣＤ表示部４は、ディスプレイ４２を有し、ヒンジ部４１によってカメラ本体と接続されている。ＬＣＤ表示部４は、撮影者の操作によって、カメラ１の本体に対して開閉軸Ｘを中心軸として約１８０°開閉する可動部である。また、撮影者は、ＬＣＤ表示部４を、カメラ１の本体に対して回転軸Ｙを中心軸として、反時計回りに約１８０°、時計回りに約９０°回転させることが可能である。すなわち、ＬＣＤ表示部４は、カメラ１の非グリップ側（背面から見て左側）に開いた状態で回転可能に保持されている。カメラ１とＬＣＤ表示部４とがヒンジ部４１により連結されていることで、撮影者は撮影を行う体勢に応じて表示部の角度を自由に変えることができ、ハイアングルやローアングルでも被写体をＬＣＤ表示部４で確認しながら撮影を行うことができる。
【００１７】
ヒンジ部４１の取り付け方法としては、撮像装置の構造躯体となるメインシャーシ（不図示）にビス止め等で固定するのが強度上好ましい。リアカバーユニット５には、カメラ背面を覆う外装部材である樹脂製のリアカバー５１、各種操作ボタン５２、撮影者がカメラを把持した際に指掛りとなるグリップ部材として機能するリアグリップ５３で構成されている。
【００１８】
カメラ１の上面グリップ側（背面から見て右側）には、樹脂製のトップカバーユニット６が設けられている。トップカバーユニット６は、電源ＯＮ／ ＯＦＦ操作を行うための電源ボタン６１、撮影動作を開始するためのレリーズボタン６２、変倍操作のためのズームレバー６３、撮影モードを切替るためのモードダイアル６４が設けられている。カメラ１の上面中央部には、外部ストロボ等のアクセサリ部品を取り付け可能とするアクセサリシュー７１、および撮影時に被写体の明るさが足りない時に発光するストロボユニット７２が設けられている。
【００１９】
カメラ１のグリップ側（背面から見て右側）の側面部には、外部接続コネクタを覆い隠すためのコネクタカバー５４が配置されている。グリップ側側面に配置された外部接続コネクタは、撮影者がカメラ１をグリップして撮影する際に使用しないＵＳＢ端子やリモートレリーズ端子等のジャックであり、それを覆い隠すコネクタカバー５４が配置されている。コネクタカバー５４の上側には、ストラップ紐を通すためのストラップ取付部材６５が配置され、反対側の側面部にもストラップ取付部材８１が配置されている。ストラップ紐を取り付け可能とすることで、ストラップ紐を首や手首等にかけて携帯することができる。これにより、携帯性の向上や脱落防止を実現できる。
【００２０】
ストラップ紐が取り付けられているストラップ取付部材６５、８１は、ストラップ紐が引っ張られたとしても、十分な強度を備えてなければならない。ストラップ取付部材６５、８１は、樹脂材料で形成することも考えられるが、樹脂材料は機械的強度が低く、十分な強度を得ることが困難である。樹脂材料で機械的強度を確保するために肉厚を増すことも考えられるが、カメラが大型化したり、偏った肉厚になったりし、ヒケ等の成型不良が発生する。したがって、カメラの小型化や機械的強度を確保するために、板金から成るストラップ部やダイキャスト製のストラップ部を用いることが多い。
【００２１】
カメラ１の非グリップ側の側面部には、外装カバーであるサイドカバーユニット８が設けられている。サイドカバーユニット８は、ストラップ紐を通すためのストラップ取付部材８１、カメラ側面を覆う外装部材として機能する樹脂製のサイドカバー８２、外部接続コネクタを覆い隠すためのコネクタカバー８３を有する。非グリップ側に配置された外部接続コネクタには、撮影者がカメラ１をグリップして撮影する際に外部端子として使用する外部マイク端子のジャック（以降、マイク端子）８０５が配置されている。なお、本発明の適用範囲は、マイク端子に限られない。外部端子は、ヘッドホン端子であってもよい。
【００２２】
図２は、撮影者がカメラを構えている様子と、カメラの非グリップ側側面の状態を示す図である。
図２（Ａ）は、撮影者がカメラ１を構えている様子を示している。カメラ１をグリップする際、撮影者は右手を使ってグリップ側側面部をグリップする。さらに、左手を使ってカメラ１の正面から見て右下部分を下からカメラ全体の重さを受けるように構える。このように、グリップ側側面部や非グリップ側側面部の下側にマイク端子８０５を配置した場合、外部接続機器のプラグＰを差した状態でカメラ１をグリップすると、グリップした手の平にプラグＰが当たり、グリップ性を著しく低下する。つまり、非グリップ側側面部の上側にマイク端子８０５を配置する必要がある。
【００２３】
図２（Ｂ）は、カメラ１の非グリップ側側面部にて、コネクタカバー８３が開かれ、プラグＰが差された状態を示した図である。撮影をする際、撮影者は撮影を行う体勢に応じてＬＣＤ表示部４を非グリップ側側面に開いた状態で回転角度を自由に変える。つまり、非グリップ側側面部でもＬＣＤ表示部４の回転範囲４２ａと重なる位置にマイク端子８０５を配置すると、プラグＰが邪魔となり、撮影者が望む位置までＬＣＤ表示部４を回転できず、操作性が著しく低下する。
【００２４】
ストラップ取付部材に関しても同様の条件が適用されるため、非グリップ側側面部にマイク端子８０５を配置する場合、ストラップ取付部材８１近傍に配置することが望ましい。しかし、ヒンジ部を固定するメインシャーシとＬＣＤ表示部４の回転範囲４２ａ外に配置されたマイク端子８０５の位置が遠くなると、メインシャーシでマイク端子の静荷重を受ける形状を形成しても強度不足となり、静荷重に強くならない。したがって、本実施形態では、マイク端子８０５を、グリップ性やＬＣＤ表示部の可動範囲外に配置するとともに、マイク端子８０５の静荷重を受ける剛性が確保された構成を有するストラップ取付部材ユニット８０（図３）にマイク端子８０５を固定して保持する。
【００２５】
図３は、ストラップ取付部材ユニットと、サイドカバーユニットの構成例を示す図である。ストラップ取付部材ユニット８０は、サイドカバーユニット８に対して位置決めされて固定される。図３（Ａ）は、ストラップ取付部材ユニット８０の構成を示す分解斜視図を示す。図３（Ｂ）は、ストラップ取付部材ユニット８０の完成状態を示す斜視図を示す。図３（Ｃ）は、サイドカバーユニット８の構成を示す分解斜視図を示す。
【００２６】
ストラップ取付部材ユニット８０は、マイク端子フレキシブル基板８０１、ストラップ部８０２、及びストラップホルダ８０３により構成される。マイク端子フレキシブル基板８０１（以下、「フレキシブル基板」と記述）は、スピーカ８０４のリード線部と半田付けにより接続され、マイク端子８０５を実装する。フレキシブル基板８０１には、メイン基板（不図示）のコネクタ部に接続される接続部８０６が形成されている。
【００２７】
マイク端子８０５は、プラグが挿入される樹脂で形成された円筒部８０５ａと角型部８０５ｂを有している。マイク端子８０５は、角型部８０５ｂの底面がフレキシブル基板８０１上に載置され、フレキシブル基板８０１の信号線等のパターン上に半田付けされることによって表面実装されている。また、角型部８０５ｂには、補強のため２つの脚部がフレキシブル基板８０１のスルーホールに挿入され半田付け接続されている。
【００２８】
ストラップ部８０２は、強度を有し、なお且つ製造コストが比較的低い、板金であることが望ましい。しかし、強度を確保するための十分なスペースを有していれば、樹脂製でも構わない。また、製造コストが低く抑えられるのであれば、ダイキャスト製でも構わない。ストラップ部８０２には、ストラップが挿入される挿通口８０２ａ、マイク端子８０５の静荷重を受けるための実装面（外部端子実装面）と平行に延設された延設部８０２ｂが形成されている。また、ストラップ部８０２には、ストラップホルダ８０３と位置決めするための位置決め穴８０２ｃ、スピーカ用の開口部８０２ｄが設けられている。
【００２９】
ストラップホルダ８０３には、延設部８０２ｂを覆い挟持する係合部８０３ａ、ストラップ紐が通る空間が形成されるストラップ受け部８０３ｂ、フレキシブル基板を位置決めする位置決め軸８０３ｃが設けられている。さらに、ストラップホルダ８０３には、スピーカ８０４が収容されるスピーカ収容部８０３ｄ、ストラップ部８０２を位置決めする位置決め軸８０３ｅが設けられている。
【００３０】
次に、組立する順序に沿って説明する。スピーカ８０４は、ストラップホルダに形成されたスピーカ収容部８０３ｄに収容される。その状態で、ストラップ部８０２の延設部８０２ｂをストラップホルダの係合部８０３ａに挿入し、なお且つ、ストラップホルダに形成された位置決め軸８０３ｅとストラップ部に形成された位置決め穴８０２ｃにより位置決めし、ビスＢ１によって締結する。これにより、樹脂製のストラップホルダで形成された係合部８０３ａと金属製のストラップ部の延設部８０２ｂとが重ね合わせられて、マイク端子保持部８０７が形成される。
【００３１】
マイク端子保持部８０７には、フレキシブル基板の位置決め軸８０３ｃが形成されている。マイク端子保持部８０７に形成された位置決め軸８０３ｃとフレキシブル基板に形成された位置決め穴（不図示）により位置決めされ、両面テープ８０８により固定される。これにより、ストラップ取付部材ユニット８０の組立が完了する。
【００３２】
ストラップ部の延設部８０２ｂにフレキシブル基板８０１を直接固定することも考えられる。しかし、ストラップ部８０２は強度を有する厚みのある板金やダイキャストで構成されているため、位置決め軸を形成することが加工、成型上、困難である。また、板金のエッジ部やダイキャストのバリ部に対するフレキシブル基板８０１の保護、マイク端子８０５のスルーホール部の絶縁を考慮すると、以下の構成が望ましい。すなわち、強度を有するマイク端子保持部８０７は金属製のストラップ部で形成した延設部８０２ｂを樹脂製のストラップホルダ８０３で覆う構成をとる。これにより、マイク端子８０５の静荷重を受ける剛性を確保しつつ、板金のエッジ部やダイキャストのバリ部に対するフレキシブル基板８０１の保護やスルーホール部に対する絶縁を可能としている。
【００３３】
コネクタカバー８３は、カバー部８３ａとヒンジ部８３ｂとから形成され、ヒンジ部８３ｂをサイドカバー８２に設けられたヒンジ開口部８２ａに外観側から挿入することで組み立てられる。ストラップ取付部材ユニット８０は、ストラップ部とストラップホルダを位置決めした位置決め軸８０３ｅを利用して、サイドカバーの位置決め穴８２ｂと位置決めされ、ビスＢ２によって締結される。この時、サイドカバーに設けた外部端子用（マイク端子用）の開口部８２ｃに、マイク端子の筒部材８０５ａが入り込んだ状態になっている。
【００３４】
図４は、カメラに組み立てられるフロントフレーム部材を示す図である。
フロントフレーム部材９は、樹脂製で、撮影レンズ鏡筒を全周覆うような筒形状９１を有する筒状部材である。フロントフレーム部材９を、メインシャーシと、メインシャーシに締結された電池室とに対してビス締結Ｂ３することにより、カメラ正面側の剛性を高めている。また、フロントフレーム部材９には、マイク端子の角型部上面と側面を覆う囲い部として機能するマイク端子囲い部９２が形成されている。マイク端子囲い部９２は、マイク端子保持部８０７と共にマイク端子の角型部８０５ｂを覆う形状を有している。この例では、マイク端子囲い部９２は、マイク端子の角型部８０５ｂの上面、側面、底面（実装面）を覆う形状を有しており、マイク端子８０５近傍でマイク端子保持部を構成しているストラップホルダ８０３とビス締結Ｂ４される。
【００３５】
図５は、マイク端子部の保持構成を示す断面図である。
図５（Ａ）は、プラグにカメラ前後方向の外力が作用した場合のマイク端子の保持を示す。プラグ（不図示）にカメラ前方向に向かう外力が作用した場合、マイク端子８０５の後方部Ｓを支点として、マイク端子８０５の前方が浮き上がる方向に力Ｆ１が作用する。マイク端子の破壊・変形を防止するために、マイク端子開口部８２ｃはマイク端子の円筒部８０５ａと必要最小限の隙間にする構成であることが望ましい。ストラップホルダ８０３は、サイドカバー８２とマイク端子８０５に対して他部品を介さずに位置決めされる構成にしているので、マイク端子用の開口部８２ｃとマイク端子の筒部材８０５ａの隙間は、必要最小限にすることができ、静荷重に対して有利である。
【００３６】
プラグにカメラ後方向の外力が作用した場合、マイク端子用の開口部８２ｃを支点として、マイク端子の後方部が浮き上がる方向に力Ｆ２が作用する。図５（Ｂ）は、プラグにカメラ上下方向の外力が作用した場合のマイク端子保持を示す。プラグにカメラ上下方向の外力が作用した場合、マイク端子用の開口部８２ｃを支点として、マイク端子の後方部が回転する方向に力Ｆ３が作用する。したがって、マイク端子８０５の破壊・変形を防止するために、マイク端子の後方部の浮き上がりや側面後方部の回転を防止する位置に剛性の高い部品を配置することが望ましい。しかし、カメラ前側にはメインシャーシのような構造躯体となる板金部品は、存在しないことが多い。
【００３７】
フロントフレーム部材９は、樹脂製で単品状態では剛性を有する部品ではないが、樹脂製で形状に自由度が高いので、構造躯体であるメインシャーシやメインシャーシに取り付けられている電池室にビス締結することで、剛性を高めている。フロントフレーム部材９に形成されたマイク端子囲い部９２は、マイク端子近傍でマイク端子保持部８０７とビス締結されている。つまり、プラグにカメラ後方向やカメラ上下方向の外力が作用しても、マイク端子囲い部９２は剛性を有するマイク端子保持部８０７と一体になってマイク端子８０５の破壊・変形に対して、静荷重を受ける構成となっている。
【００３８】
本実施形態の撮像装置によれば、グリップ性や操作性を阻害せず、かつ、補強部材等の部品を追加することなく、静荷重に強いジャック保持構造を有する撮像装置を提供することができる。以上、本発明の好ましい実施形態について説明したが、本発明は、本実施形態に限定されず、その要旨を範囲内で種々の変形および変更が可能である。
【符号の説明】
【００３９】
８０  ストラップ取付部材ユニット
８０５  マイク端子
【図１】
0006436670.tif 000002
【図２】
0006436670.tif 000003
【図３】
0006436670.tif 000004
【図４】
0006436670.tif 000005
【図５】
0006436670.tif 000006